(57)【要約】【課題】開閉弁の凍結防止機能に要する消費電力を低減する。【解決手段】燃料電池システムは、燃料電池と、水素タンクと、水素導入経路と、水素導入経路を開閉する開閉弁と、制御部と、筐体と、筐体外の温度を検出する温度検出部と、を備える。制御部は、検出温度を取得する時間を記憶している温度取得時間記憶手段と、検出温度を取得してからの経過時間を計測する計時手段と、温度取得時間記憶手段に記憶されている時間と計時手段に計測される時間が一致するとき検出温度を取得する温度取得手段と、取得した検出温度が所定温度以下のとき開閉弁に開閉弁の開弁に必要な電流より小さい電流を流す通電手段と、今回取得した検出温度と前回取得した検出温度との差分を算出し、少なくとも今回取得した検出温度と算出した差分とに基づいて、次回の温度取得時間を決定する決定手段と、今回取得した検出温度を前回の検出温度として記憶する前回温度記憶手段と、を備える。【選択図】図５
2019091600.tif 000002
【特許請求の範囲】
【請求項１】
燃料電池と、
水素ガスを貯蔵する水素タンクと、
前記燃料電池と前記水素タンクを接続し、前記燃料電池に前記水素ガスを導入する水素導入経路と、
前記水素導入経路を開閉する開閉弁と、
前記開閉弁を制御する制御部と、
前記燃料電池と前記開閉弁を収容する筐体と、
前記筐体外の温度を検出する温度検出部と、を備えており、
前記制御部は、
前記温度検出部から検出温度を取得する時間を記憶している温度取得時間記憶手段と、
前記温度検出部から検出温度を取得してからの経過時間を計測する計時手段と、
前記温度取得時間記憶手段によって記憶されている時間と、前記計時手段によって計測される時間が一致するとき、前記温度検出部から検出温度を取得する温度取得手段と、
前記温度取得手段によって取得した検出温度が所定温度以下のとき、前記開閉弁に前記開閉弁の開弁に必要な電流より小さい電流を流す通電手段と、
今回取得した検出温度と前回取得した検出温度との差分を算出し、少なくとも今回取得した検出温度と算出した前記差分とに基づいて、次回の温度取得時間を決定して前記温度取得時間記憶手段に記憶する決定手段と、
今回取得した検出温度を前回の検出温度として記憶する前回温度記憶手段と、を備える、燃料電池システム。
【発明の詳細な説明】
【技術分野】
【０００１】
本明細書に開示する技術は、燃料電池システムに関する。詳細には、燃料電池システムの凍結を防止する技術に関する。
【背景技術】
【０００２】
水素ガスを用いて発電する燃料電池システムが開発されている。燃料電池システムは、燃料電池と、水素ガスを貯蔵する水素タンクと、燃料電池に水素ガスを導く水素導入経路と、水素導入経路を開閉する開閉弁と、開閉弁を制御する制御部を備える。燃料電池システムは、外気温が低下すると開閉弁が凍結し、必要なときに開弁できなくなることがある。特許文献１の燃料電池システムでは、予め定めておいた所定時間ごとに外気温を検出する。そして、所定温度以下になっていることが検出されると、制御部は開閉弁に開閉弁が開弁しない範囲内の電流を流す。この電流によって開閉弁は発熱し、開閉弁が凍結することが抑制される。
【先行技術文献】
【特許文献】
【０００３】
【特許文献１】特開２０１３−１２５６２６号公報
【発明の概要】
【発明が解決しようとする課題】
【０００４】
特許文献１の燃料システムでは、予め定めておいた所定時間ごとに温度を検出し、検出した温度が所定温度以下である否かの判定をしている。このため、例えば、外気温が低下する速度が緩やかな場合等、頻繁に温度を検出する必要がない場合であっても、所定時間になれば温度を検出することになり、電力消費量が大きくなるという問題があった。本明細書は、開閉弁の凍結防止機能に要する消費電力を低減する技術を開示する。
【課題を解決するための手段】
【０００５】
本明細書に開示する燃料電池システムは、燃料電池と、水素ガスを貯蔵する水素タンクと、燃料電池と水素タンクを接続して燃料電池に水素ガスを導入する水素導入経路と、水素導入経路を開閉する開閉弁と、開閉弁を制御する制御部と、燃料電池と開閉弁を収容する筐体と、筐体外の温度を検出する温度検出部と、を備えている。制御部は、温度検出部から検出温度を取得する時間を記憶している温度取得時間記憶手段と、温度検出部から検出温度を取得してからの経過時間を計測する計時手段と、温度取得時間記憶手段によって記憶されている時間と計時手段によって計測される時間が一致するときに温度検出部から検出温度を取得する温度取得手段と、温度取得手段によって取得した検出温度が所定温度以下のときに開閉弁に開閉弁の開弁に必要な電流より小さい電流を流す通電手段と、今回取得した検出温度と前回取得した検出温度との差分を算出し、少なくとも今回取得した検出温度と算出した差分とに基づいて、次回の温度取得時間を決定して温度取得時間記憶手段に記憶する決定手段と、今回取得した検出温度を前回の検出温度として記憶する前回温度記憶手段と、を備える。
【０００６】
上記の燃料電池システムは、少なくとも今回取得した温度と、前回取得した温度と今回取得した温度の差分とに基づいて、次回の温度取得時間を決定する決定手段を備えている。このため、今回取得した温度が比較的高い場合や、前回温度を取得してから今回温度を取得するまでの温度の変化量が小さい場合等、頻繁に温度を検出する必要がない場合に温度を検出する回数を減らすことができる。したがって、不要な温度検出処理を回避し、開閉弁の凍結防止処理のために必要な消費電力を低減することができる。
【図面の簡単な説明】
【０００７】
【図１】実施例に係る燃料電池システムの概略構成を模式的に示す図。
【図２】実施例に係る燃料電池システムの制御系の構成を示すブロック図。
【図３】開閉弁に供給される電流の大きさを説明する図であり、（ａ）は、燃料電池の発電時において、開閉弁を閉弁状態から開弁状態にした後に開弁状態を保持する際に開閉弁に供給される電流の大きさを示しており、（ｂ）は、燃料電池の発電停止時において、開閉弁の凍結防止処理の際に開閉弁に供給される電流の大きさを示している。
【図４】今回検出された温度と、前回検出された温度と今回検出された温度の差分と、次に温度を検出するまでの時間との関係を示す図。
【図５】燃料電池の発電停止時における開閉弁の凍結防止処理の一例を示すフローチャート。
【発明を実施するための形態】
【実施例】
【０００８】
以下、実施例に係る燃料電池システム１０について説明する。図１に示すように、燃料電池システム１０は、燃料電池１２と、水素タンク１４と、水素導入経路１６と、水素導入経路１６に設置されている開閉弁１８と、ガス排出経路２０と、ガス排出経路２０に設置されている開閉弁２２と、コンプレッサ２４と、コンプレッサ２４と燃料電池１２との間に設置される開閉弁２６と、温度センサ２８と、筐体３０と、制御部３２（図２参照）を備えている。
【０００９】
燃料電池１２は、水素タンク１４内の水素ガスを用いて電力を生成する。水素タンク１４は、水素ガスを貯蔵している。水素導入経路１６は、燃料電池１２と水素タンク１４を接続している。開閉弁１８は、水素導入経路１６に設置されており、開閉弁１８の開閉によって水素導入経路１６が開閉する。したがって、開閉弁１８を開弁すると、水素タンク１４内の水素ガスが、水素導入経路１６を通って燃料電池１２に供給される。開閉弁１８は、制御部３２に接続されている。
【００１０】
ガス排出経路２０は、燃料電池１２で電力を生成する際に発生した排ガスや水分等を排出する。開閉弁２２は、ガス排出経路２０に設置されており、開閉弁２２の開閉によってガス排出経路２０が開閉する。コンプレッサ２４は、燃料電池１２と接続されている。開閉弁２６は、コンプレッサ２４と燃料電池１２との間に設置されている。したがって、開閉弁２６を開弁した状態でコンプレッサ２４を作動すると、燃料電池１２に空気が送られ、燃料電池１２は水素と酸素によって発電する。そして、燃料電池１２で発生した排ガスや水分等は、ガス排出経路２０を通って排出される。開閉弁２２、２６及びコンプレッサ２４は、制御部３２に接続されている。
【００１１】
温度センサ２８は筐体３０外に設置されており、筐体３０外の温度を検出する。筐体３０は、直接屋外に配置される。このため、温度センサ２８は外気温を検出する。なお、筐体３０はさらに他の筐体に収容されていてもよい。この場合には、温度センサ２８は筐体３０と他の筐体との間の温度を検出してもよいし、温度センサ２８は他の筐体外に設置され、他の筐体外の温度、すなわち、外気温を検出してもよい。また、本実施例では、筐体３０は燃料電池１２と開閉弁１８と水素タンク１４を収容しているが、このような構成に限定されない。筐体３０は少なくとも燃料電池１２と開閉弁１８を収容していればよく、水素タンク１４を収容していなくてもよい。
【００１２】
図２に示すように、制御部３２は、メモリ４０とＣＰＵ５０を含むコンピュータを用いて構成されている。メモリ４０には温度取得時間記憶部４２及び前回温度記憶部４４が設けられている。
【００１３】
温度取得時間記憶部４２は、温度センサ２８が検出する温度を温度センサ２８から取得する時間を記憶する。温度センサ２８から検出温度を取得する時間は、後述の温度取得時間決定部５８で決定される。
【００１４】
前回温度記憶部４４は、後述の温度取得部５４が取得した検出温度を記憶する。後に詳述する燃料電池１２の発電停止時における開閉弁１８の凍結防止処理では、燃料電池１２の発電停止から発電始動までの間、温度センサ２８から複数回に亘って検出温度を取得することがある。前回温度記憶部４４は、今回取得した検出温度を次回の検出温度取得時に「前回の検出温度」として用いるために記憶する。例えば、温度取得部５４が今回取得した検出温度が「ｎ回目に取得した検出温度」である場合、前回温度記憶部４４は、ｎ＋１回目に検出温度を取得する際の「前回の検出温度」とするために、ｎ回目に取得した検出温度を記憶する。
【００１５】
メモリ４０には演算プログラムが記憶されており、ＣＰＵ５０が当該演算プログラムを実行することで、ＣＰＵ５０は計時部５２、温度取得部５４、開弁保持電流供給部５６及び温度取得時間決定部５８として機能する。
【００１６】
計時部５２は、前回の検出温度取得時から経過した時間を計測する。温度取得部５４は、設定された時間に温度センサ２８から検出温度を取得する。具体的には、温度取得部５４は、温度取得時間記憶部４２に記憶される時間と計時部５２で計測する時間が一致したときに、温度センサ２８から検出温度を取得する。
【００１７】
開弁保持電流供給部５６は、開閉弁１８に開弁保持電流を流す。開弁保持電流は、開閉弁１８が開弁状態のときに、開弁状態を保持するために必要な大きさの電流である。図３（ａ）に示すように、燃料電池１２の発電時において、燃料電池１２に水素ガスを供給するために開閉弁１８を開弁するときには、閉弁状態から開弁状態にするために開閉弁１８に大きい電流（以下、開弁電流ともいう）を流す。そして、開弁後には、その開弁状態を保持するために、開閉弁１８に開弁電流より小さい電流（以下、開弁保持電流ともいう）を流す。図３（ｂ）に示すように、開弁保持電流供給部５６は、開閉弁１８に開弁保持電流を供給する。開弁保持電流供給部５６が開閉弁１８に開弁保持電流を供給する際には、燃料電池１２の発電が停止しているため、開閉弁１８は閉弁状態となっている。閉弁状態の開閉弁１８に開弁保持電流を供給することによって、開閉弁１８を開弁することなく、開閉弁１８の温度を上昇させることができる。これによって、開閉弁１８の凍結を防止することができる。
【００１８】
温度取得時間決定部５８は、次に温度センサ２８から検出温度を取得するまでの時間を決定する。外気温が急激に下降している場合には、頻繁に外気温を監視する必要がある。このため、次に温度センサ２８から検出温度を取得するまでの時間を短くする。一方、外気温の下降速度が緩やかな場合には、しばらく放置しておいても開閉弁１８が凍結することはない。このため、次に温度センサ２８から検出温度を取得までの時間を比較的長く設定できる。また、今回の温度が低い場合には、次の温度取得までの時間を短くしなければ開閉弁１８が凍結する虞があるが、今回の温度が低くない場合には、次の温度取得までの時間を長くしても開閉弁１８は凍結しない。このため、温度取得時間決定部５８は、今回取得した検出温度と、前回温度記憶部４４に記憶されている前回の検出温度の差分を算出し、今回取得した検出温度と算出した差分に基づいて、次に検出温度を取得するまでの時間を決定する。
【００１９】
図４は、次に検出温度を取得するまでの時間（縦軸）と、前回の検出温度と今回の検出温度との差分（横軸）との関係を示している。以下では、今回取得した検出温度を「Ｔ２」と称し、前回取得した検出温度を「Ｔ１」と称し、Ｔ１とＴ２の差分（詳細には、Ｔ１−Ｔ２）を「ΔＴ」と称することがある。グラフＡは、Ｔ２が所定温度である０℃以下のときを示しており、グラフＢは、Ｔ２が０℃より大きく、かつ、１０℃以下のときを示しており、グラフＣは、Ｔ２が１０℃より大きいときを示している。図４に示すように、Ａ〜Ｃのいずれのグラフも、ΔＴが大きくなるにつれて、次に検出温度を取得するまでの時間が短くなっている。また、グラフＡの場合、外気温が既に所定温度以下となっているため、開閉弁１８が凍結し易い。したがって、次に検出温度を取得するまでの時間は全体的に短くされている。一方、グラフＢの場合、グラフＡの場合と比較して外気温が高いため、次に検出温度を取得するまでの時間がグラフＡの場合より全体的に長くされている。そして、グラフＣの場合、グラフＢの場合よりさらに外気温が高いため、次に検出温度を取得するまでの時間がグラフＢの場合より全体的にさらに長くされている。
【００２０】
このように、温度取得時間決定部５８は、ΔＴとＴ２に基づいて次に検出温度を取得するまでの時間を決定する。これによって、開閉弁１８が凍結しないように外気温を監視できると共に、必要以上に監視する回数が増加することを防止できる。したがって、凍結防止処理のために使用する消費電力を低減させることができる。なお、本実施例では、所定温度を０℃としているが、このような構成に限定されない。所定温度は０℃より高い温度であってもよいし、０℃より低い温度であってもよい。
【００２１】
また、制御部３２は、開閉弁１８、２２、２６及びコンプレッサ２４と接続している。制御部３２は、開閉弁１８、２２、２６の開閉を制御し、コンプレッサ２４を制御している。また、制御部３２は、温度センサ２８と接続しており、温度センサ２８が検出した温度を取得する。
【００２２】
さらに、制御部３２は、燃料電池１２の発電停止時にガス排出経路２０から排ガスや水分等を掃気するパーキングパージ処理を制御する。パーキングパージ処理では、制御部３２は、予め設定された時間毎に温度センサ２８から検出温度を取得する。この時間間隔は、開閉弁１８の凍結防止処理に必要な温度検出の時間間隔よりも長い。そして、検出温度が所定温度（例えば、０℃）より低いとき、制御部３２は、開閉弁２２、２６を開弁し、コンプレッサ２４を作動する。すると、燃料電池１２内に残留する排ガスや水分等がガス排出経路２０を通って排出される。これにより、燃料電池１２の発電停止中に燃料電池１２やガス排出経路２０が凍結することを防止できる。
【００２３】
次に、燃料電池１２の発電停止時における開閉弁１８の凍結防止処理について説明する。図５は、燃料電池１２の発電停止時における開閉弁１８の凍結防止処理の一例を示すフローチャートである。燃料電池１２の発電停止時に外気温が低下すると、燃料電池システム１０内が凍結することがある。特に、開閉弁１８が凍結すると、燃料電池１２の発電を始動する際に開閉弁１８を開弁することができず、燃料電池１２に水素を供給できなくなる。このため、燃料電池１２の発電停止時に開閉弁１８が凍結すると、燃料電池１２の始動時に発電を速やかに開始できなくなる。これを防止するために、燃料電池１２の発電停止中は開閉弁１８が凍結することを防止する処理が実行される。なお、以下の説明では、燃料電池１２の停止から２回目以降の温度検出を例にして説明する。このため、燃料電池１２の停止から最初の温度検出の際に、２回目以降の温度検出と異なる処理が実行される場合には、以下の説明中の該当するステップにおいてその相違点を併せて説明する。
【００２４】
図５に示すように、計時部５２は、前回の温度取得時からの経過時間を計測する（Ｓ１２）。なお、燃料電池１２の発電停止から一度も温度が検出されていない場合には、燃料電池１２の発電停止からの経過時間を計測する。
【００２５】
次に、制御部３２は、計時部５２で計測する経過時間が、温度取得時間記憶部４２に記憶されている時間と一致するか否かを判定する（Ｓ１４）。温度取得時間記憶部４２に記憶されている時間は、前回の温度取得による処理によって温度取得時間決定部５８が決定した時間である。この温度取得時間決定部５８による時間の決定については後述する。なお、燃料電池１２の発電停止から一度も温度が検出されていない場合には、制御部３２は、計時部５２で計測する経過時間が、予め設定された時間と一致するか否かを判定する。計時部５２で計測する経過時間が、温度取得時間記憶部４２に記憶されている時間（又は、予め設定された時間）と一致しない場合（ステップＳ１４でＮＯの場合）には、前回の温度取得による処理によって決定した時間（又は、予め設定された時間）に達していないと判断し、温度取得時間記憶部４２に記憶されている時間（又は、予め設定された時間）になるまで待機する。
【００２６】
一方、計時部５２で計測する経過時間が、温度取得時間記憶部４２に記憶される時間（又は、予め設定された時間）と一致する場合（ステップＳ１４でＹＥＳの場合）には、前回の温度取得による処理によって決定した時間（又は、予め設定された時間）に達したと判断し、温度取得部５４は、温度センサ２８から検出温度（すなわち、今回の検出温度Ｔ２）を取得する（Ｓ１６）。
【００２７】
次に、制御部３２は、ステップＳ１６で取得したＴ２が所定温度より低いか否かを判定する（Ｓ１８）。具体的には、Ｔ２が０℃より低いか否かを判定する。
【００２８】
Ｔ２が０℃より低い場合（ステップＳ１８でＹＥＳの場合）には、開閉弁１８が凍結する虞があると判断し、ステップＳ２０に進む。一方、Ｔ２が０℃以上の場合（ステップＳ１８でＮＯの場合）には、ステップＳ２０をスキップして、ステップＳ２２に進む。
【００２９】
Ｔ２が０℃より低い場合（ステップＳ１８でＹＥＳの場合）、開弁保持電流供給部５６は、開閉弁１８に開弁保持電流を流す（Ｓ２０）。上述したように、開弁保持電流供給部５６が開閉弁１８に流す開弁保持電流は、図３（ｂ）に示す比較的小さい電流である。このため、開閉弁１８を開弁させることなく、開閉弁１８の温度を上昇させる。これにより、外気温が０℃より低くなっても、開閉弁１８の凍結を防止できる。
【００３０】
次に、温度取得時間決定部５８は、前回取得した検出温度（すなわち、Ｔ１）と今回取得した検出温度Ｔ２との差分（すなわち、ΔＴ）を算出する（Ｓ２２）。Ｔ１は、前回温度記憶部４４に記憶されている。この前回温度記憶部４４にＴ１を記憶するステップについては後述する。温度取得時間決定部５８は、前回温度記憶部４４に記憶されるＴ１と、ステップＳ１６で温度取得部５４が取得したＴ２から、ΔＴを算出する。なお、燃料電池１２の発電停止から検出温度を一回しか取得していない場合には、前回温度Ｔ１が存在しないため、ステップＳ２２は省略する。あるいは、発電停止時の温度をＴ１として前回温度記憶部４４に記憶させておき、ΔＴを算出する。
【００３１】
次に、温度取得時間決定部５８は、ステップＳ１６で温度取得部５４が取得したＴ２と、ステップＳ２２で算出したΔＴに基づいて、次に温度センサ２８から検出温度を取得するまでの時間を決定する（Ｓ２４）。具体的には、図４に示す関係を利用する。そして、温度取得時間記憶部４２は、ステップＳ２４で温度取得時間決定部５８が決定した検出温度の取得時間を記憶する（Ｓ２６）。なお、燃料電池１２の発電停止から検出温度を一回しか取得していない場合には、次に温度センサ２８から検出温度を取得するまでの時間はＴ２のみに基づいて決定し、決定した時間を温度取得時間記憶部４２に記憶させる。
【００３２】
次に、前回温度記憶部４４は、ステップＳ１６で取得した検出温度を記憶する（Ｓ２８）。ステップＳ１６で取得した検出温度は、ステップＳ１８、ステップＳ２２及びステップＳ２４の今回の処理においてＴ２として用いられるだけでなく、次回の処理ではＴ１として用いられる。このため、前回温度記憶部４４は、ステップＳ１６で取得した検出温度をＴ１として記憶する。
【００３３】
次に、制御部３２は、パーキングパージ処理を実施するか否かを判定する（Ｓ３０）。上述したように、パーキングパージ処理は、予め設定された時間毎に温度センサ２８から検出温度を取得し、その検出温度が０℃より低いときに実施される。換言すると、パーキングパージ処理は、予め設定された時間になり、かつ、そのときに検出した温度が０℃より低いときに実施される。ここで予め設定されている時間間隔は、上述のステップＳ２４で決定する時間間隔より長い。このため、パーキングパージ処理のための温度検出の頻度は、開閉弁１８の凍結防止処理のための温度検出の頻度より低い。したがって、パーキングパージ処理に要する消費電力は、開閉弁１８の凍結防止処理に要する消費電力より小さい。パーキングパージ処理が実施される場合（ステップＳ３０でＹＥＳの場合）、すなわち、予め設定された時間になり、かつ、そのときに検出した温度が０℃より低い場合には、ステップＳ３２に進み、パーキングパージ処理を実施する。その後、ステップＳ１２に戻り、燃料電池１２の発電が始動するまでステップＳ１２〜ステップＳ３２の処理が繰り返される。一方、パーキングパージ処理が実施されない場合（ステップＳ３０でＮＯの場合）、すなわち、予め設定された時間になっていないか、又は、予め設定された時間になったが、そのときに検出した温度が０℃以上の場合には、ステップＳ１２に戻る。そして、燃料電池１２の発電が始動するまでＳ１２〜ステップＳ３２の処理が繰り返される。
【００３４】
本実施例の燃料電池システム１０は、温度センサ２８から検出温度を取得してから次に検出温度を取得するまでの時間を、今回の検出温度Ｔ２と、前回の検出温度Ｔ１と今回の検出温度Ｔ２の差分ΔＴに基づいて算出している。このため、Ｔ２が比較的高い場合や、ΔＴが小さい場合等、頻繁に外気温を監視しなくても開閉弁１８が凍結する虞がない場合に、凍結防止処理を実行する回数を減らすことができる。燃料電池１２の発電停止時には、燃料電池１２と共に制御部３２も停止するが、凍結防止処理の際には制御部３２が起動する。したがって、不要な凍結防止処理の回数を減らすことによって、消費電力を低減することができる。
【００３５】
なお、本実施例では、Ｔ２とΔＴに基づいて次に検出温度を取得するまでの時間を決定しているが、このような構成に限定されない。例えば、次に検出温度を取得するまでの時間は、Ｔ２と、Ｔ１とＴ２の差分の時間当たりの変化量（すなわち、変化速度）に基づいて決定してもよい。すなわち、Ｔ２とＴ１−Ｔ２に加えて時間間隔をも加味して、次に検出温度を取得するまでの時間を決定してもよい。
【００３６】
実施例で説明した燃料電池システム１０に関する留意点を述べる。実施例の温度センサ２８は「温度検出部」の一例であり、温度取得時間記憶部４２は「温度取得時間記憶手段」の一例であり、計時部５２は「計時手段」の一例であり、温度取得部５４は「温度取得手段」の一例であり、開弁保持電流供給部５６は「通電手段」の一例であり、温度取得時間決定部５８は「決定手段」の一例であり、前回温度記憶部４４は「前回温度記憶手段」の一例である。
【００３７】
以上、本明細書に開示の技術の具体例を詳細に説明したが、これらは例示に過ぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。
【符号の説明】
【００３８】
１０：燃料電池システム
１２：燃料電池
１４：水素タンク
１６：水素導入経路
１８：開閉弁
２０：ガス排出経路
２２：開閉弁
２４：コンプレッサ
２６：開閉弁
２８：温度センサ
３０：筐体
３２：制御部
４２：温度取得時間記憶部
４４：前回温度記憶部
５２：計時部
５４：温度取得部
５６：開弁保持電流供給部
５８：温度取得時間決定部
【図１】
2019091600.tif 000003
【図２】
2019091600.tif 000004
【図３】
2019091600.tif 000005
【図４】
2019091600.tif 000006
【図５】
2019091600.tif 000007